【手続補正書】
【提出日】平成18年11月10日(2006.11.10)
【手続補正１】
【補正対象書類名】特許請求の範囲
【補正対象項目名】全文
【補正方法】変更
【補正の内容】
【特許請求の範囲】
【請求項１】
電力および信号の少なくとも１つを伝送するための１以上のばね内蔵型接点の第１配列を有するインターフェースコネクタを具え、
携帯型デバイスとこれが接続されるアクセサリとの係合および係合解除を通じた、前記ばね内蔵接点および前記アクセサリの１以上の結合接点の第２配列の磨耗が実質的に低減されるようにした携帯型デバイス用コネクタインターフェース。
【請求項２】
前記第１配列の１以上のばね内蔵接点および前記アクセサリの前記第２配列の１以上の結合接点が実質的に軸方向に整列する請求項１のインターフェース。
【請求項３】
前記第１配列の１以上のばね内蔵接点は、前記係合時に前記アクセサリの前記第２配列の１以上の結合接点と突合せ当接するのに適合している請求項１のインターフェース。
【請求項４】
前記携帯型デバイスは、データフォーム読取装置および無線通信デバイスの少なくとも一方の能力を有している請求項１のインターフェース。
【請求項５】
前記第２配列の１以上の接点が耐磨耗性導電金属でめっきされ、該金属が硬質の金である請求項１のインターフェース。
【請求項６】
電力および信号の少なくとも１つを伝送するための１以上のばね内蔵型接点の第１セットを有するインターフェースコネクタを用意し、
携帯型デバイスとこれが接続されるアクセサリとの係合および係合解除を通じた、前記ばね内蔵接点および前記アクセサリの１以上の結合接点の第２セットの磨耗が実質的に低減されるようにする携帯型デバイス用インターフェーシングを行う方法。
【請求項７】
前記第１セットの１以上のばね内蔵接点および前記アクセサリの前記第２セットの１以上の結合接点が実質的に軸方向に整列する請求項６の方法。
【請求項８】
前記第１セットの１以上のばね内蔵接点は、前記係合時に前記アクセサリの前記第２セットの１以上の結合接点と突合せ当接するのに適合している請求項６の方法。
【請求項９】
前記携帯型デバイスは、データフォーム読取装置および無線通信デバイスの少なくとも一方の能力を有している請求項６の方法。
【請求項１０】
前記第２セットの１以上の接点が耐磨耗性導電金属でめっきされ、該金属が硬質の金である請求項６の方法。
【請求項１１】
携帯型デバイスおよびアクセサリのコネクタインターフェースシステムであって、
１以上のばね内蔵接点の第１配列を有する前記携帯型デバイスのデバイスコネクタと、
該デバイスコネクタに結合するのに適合し、前記デバイスコネクタの前記１以上のばね内蔵接点と整列するアクセサリ接点の第２配列を有するアクセサリ側のアクセサリコネクタと、
を具え、前記携帯型デバイスと前記アクセサリとの係合および係合解除を通じた、前記デバイス接点および前記アクセサリ接点の磨耗が実質的に低減されるようにしたコネクタインターフェースシステム。
【請求項１２】
前記１以上のばね内蔵接点および前記アクセサリ接点は、前記携帯型デバイスと前記アクセサリとの係合時に突合せ当接する請求項１１のシステム。
【請求項１３】
前記第１コネクタおよび前記第２コネクタの少なくとも一方の接点が耐磨耗性導電金属でめっきされ、該金属が硬質の金である請求項１１のシステム。
【請求項１４】
前記携帯型デバイスは、データフォーム読取装置および無線通信デバイスの少なくとも一方の能力を有している請求項１１のシステム。
【請求項１５】
前記アクセサリ接点がばね内蔵型接点である請求項１１のシステム。
【請求項１６】
前記１以上のばね内蔵接点が前記アクセサリの前記アクセサリ接点と実質的に軸方向に整列する請求項１１のシステム。
【請求項１７】
前記第１配列がコネクタハウジングに含まれ、前記第２配列が回路基板に含まれている請求項１１のシステム。
【請求項１８】
前記回路基板はリジッドなもの、およびフレキシブルなものの少なくとも一方である請求項１７のシステム。
【請求項１９】
携帯型デバイスおよびアクセサリのインターフェーシングを行う方法であって、
１以上のばね内蔵接点の第１配列を有する前記携帯型デバイスのデバイスコネクタを用意し、
該デバイスコネクタに結合するのに適合し、前記デバイスコネクタの前記１以上のばね内蔵接点と整列するアクセサリ接点の第２配列を有するアクセサリ側のアクセサリコネクタを用意し、
前記携帯型デバイスと前記アクセサリとの係合および係合解除を通じた前記デバイス接点および前記アクセサリ接点の磨耗が実質的に低減されるようにする方法。
【請求項２０】
前記１以上のばね内蔵接点および前記アクセサリ接点は、前記携帯型デバイスと前記アクセサリとの係合時に突合せ当接する請求項１９の方法。
【請求項２１】
前記第１コネクタおよび前記第２コネクタの少なくとも一方の接点が耐磨耗性導電金属でめっきされ、該金属が硬質の金である請求項１９の方法。
【請求項２２】
前記携帯型デバイスは、データフォーム読取装置および無線通信デバイスの少なくとも一方の能力を有している請求項１９の方法。
【請求項２３】
前記アクセサリ接点がばね内蔵型接点である請求項１９の方法。
【請求項２４】
前記１以上のばね内蔵接点が前記アクセサリの前記アクセサリ接点と実質的に軸方向に整列する請求項１９の方法。
【請求項２５】
前記第１配列がコネクタハウジングに含まれ、前記第２配列が回路基板に含まれている請求項１９の方法。
【請求項２６】
前記回路基板はリジッドなもの、およびフレキシブルなものの少なくとも一方である請求項２５の方法。
【請求項２７】
携帯型デバイスおよびアクセサリ間で接点のインターフェーシングを行う方法であって、
１以上のばね内蔵接点の第１配列を有するデバイスコネクタを携帯型デバイスのコネクタハウジングに用意し、
該デバイスコネクタの前記１以上のばね内蔵接点のそれぞれに突合せ当接しながら実質的に軸方向に整列する１以上のアクセサリ接点の第２配列を有するアクセサリコネクタを回路基板上に用意し、
前記携帯型デバイスと前記アクセサリとの係合および係合解除を通じた前記デバイス接点および前記アクセサリ接点の磨耗が実質的に低減されるようにする方法。
【請求項２８】
データを収集するためのバーコードリーダと、
当該収集データの少なくとも一部を処理するプロセッサと、
モバイル端末のハウジング内に少なくとも一部が配置され、前記モバイル端末を他のデバイスに電気的に接続するための１以上のばね内蔵型接点の配列を有するインターフェースコネクタと、
を具えたモバイル端末。
【請求項２９】
携帯型デバイスに結合されるアクセサリ用のコネクタインターフェースであって、
結合接点との相互作用を通じた磨耗を低減するためにばね内蔵型接点の配列を有するインターフェースコネクタを具え、前記配列は電力を伝送するためのばね内蔵型接点の第１セットと信号を伝送するためのばね内蔵型接点の第２セットとを含み、前記アクセサリは前記携帯型デバイスとの係合解除時に無線通信を行うものであるアクセサリ用コネクタインターフェース。
【請求項３０】
前記携帯型デバイスに対する前記アクセサリの係合時に、前記１以上のばね内蔵接点が前記結合接点に実質的に軸方向に整列する請求項２９のインターフェース。
【請求項３１】
前記ばね内蔵接点は、前記係合時に前記携帯型デバイスの結合接点と突合せ当接するのに適合している請求項２９のインターフェース。
【請求項３２】
前記接点が耐磨耗性導電金属でめっきされ、該金属が硬質の金である請求項２９のインターフェース。
【請求項３３】
前記アクセサリは、前記係合時に、電力および信号の少なくとも１つを提供する請求項２９のインターフェース。
【請求項３４】
前記アクセサリは、前記係合解除時に、前記携帯型デバイスと無線で信号の通信を行う請求項２９のインターフェース。
【請求項３５】
携帯型デバイスに結合されるアクセサリのインターフェーシングを行う方法であって、
電力および信号の少なくとも一方を伝送するとともに、前記アクセサリの結合接点との相互作用を通じた磨耗を低減するためのばね内蔵型接点の配列を有するインターフェースコネクタを用意する工程を具え、前記配列は電力を伝送するためのばね内蔵型接点の第１セットと信号を伝送するためのばね内蔵型接点の第２セットとを含み、前記アクセサリは前記携帯型デバイスとの係合解除時に無線通信を行うものである方法。
【請求項３６】
前記携帯型デバイスに対する前記アクセサリの係合時に、前記ばね内蔵接点が前記結合接点に実質的に軸方向に整列する請求項３５の方法。
【請求項３７】
前記配列のばね内蔵接点は、前記係合時に前記携帯型デバイスの結合接点と突合せ当接して接合する請求項３５の方法。
【請求項３８】
前記接点が耐磨耗性導電金属でめっきされ、該金属が硬質の金である請求項３５の方法。
【請求項３９】
前記アクセサリは、前記係合時に、電力および信号の少なくとも１つを提供する請求項３５の方法。
【請求項４０】
前記アクセサリは、前記係合解除時に、前記携帯型デバイスと無線で信号の通信を行う請求項３５の方法。
【請求項４１】
携帯型デバイスおよびアクセサリのインターフェーシングを行う方法であって、
１以上のばね内蔵接点の第１配列を有する前記携帯型デバイスのデバイスコネクタを用意し、
該デバイスコネクタに結合するのに適合し、前記デバイスコネクタの前記１以上のばね内蔵接点と接続される大寸法のアクセサリ接点の第２配列を有するアクセサリ側のアクセサリコネクタを用意し、
前記携帯型デバイスと前記アクセサリとの係合および係合解除を通じた前記デバイス接点および前記アクセサリ接点の磨耗が実質的に低減されるようにする方法。